(57)【特許請求の範囲】
【請求項１】
少なくとも１室を蒸発器および凝縮器が設置されたホット／コールド切換室とし、前記ホット／コールド切換室以外の複数の貯蔵室の内の少なくとも１室を第２の蒸発器が設置されたコールド専用室とし、圧縮機と室外凝縮器とを前記貯蔵室の外に設置した自動販売機において、前記ホット／コールド切換室に加温ヒータを前記凝縮器、前記蒸発器よりも前記ホット／コールド切換室の循環空気の下流側に設置し、前記凝縮器を前記蒸発器よりも前記ホット／コールド切換室の循環空気の上流側に配置し、前記ホット／コールド切換室を冷却する場合には、前記圧縮機から吐出された冷媒を前記室外凝縮器で凝縮させた後、前記蒸発器と前記第２の蒸発器に供給し、前記蒸発器と前記第２の蒸発器で蒸発した冷媒が前記圧縮機へ還流するとともに、前記ホット／コールド切換室を加温する場合には、前記圧縮機から吐出された冷媒を前記凝縮器で一部を凝縮させた後に減圧してから更に前記室外凝縮器で凝縮させて、前記第２の蒸発器に冷媒を供給し、前記第２の蒸発器で蒸発した冷媒が前記圧縮機へ還流するもので、前記ホット／コールド切換室を加温する場合に前記ホット／コールド切換室以外の複数の前記貯蔵室の内の少なくとも２室以上を冷却設定として同時に冷却運転することを特徴とする自動販売機。
【請求項２】
ホット／コールド切換室を加温する場合に冷却設定として同時に冷却運転する前記ホット／コールド切換室以外の複数の貯蔵室の蒸発器を直列に接続することを特徴とする請求項１に記載の自動販売機。
【請求項３】
加温設定となるホット／コールド切換室に近い貯蔵室に設置した蒸発器が上流となるように複数の蒸発器を直列接続した請求項２に記載の自動販売機。
【請求項４】
加温設定となるホット／コールド切換室に近い貯蔵室から優先して冷却する請求項３に記載の自動販売機。
【請求項５】
ホット／コールド切換室を加温する場合に、圧縮機の停止中、凝縮器前後の配管を閉塞して、前記凝縮器内の高温高圧冷媒を保持することを特徴とする請求項１から４のいずれか一項に記載の自動販売機。
【発明の詳細な説明】
【技術分野】
【０００１】
本発明は、缶飲料などの商品を加温または冷却して販売する自動販売機において、冷却によって生じる廃熱を利用して同時に加温を行う冷却加温システムを有した自動販売機に関するものである。
【背景技術】
【０００２】
近年、自動販売機に対する消費電力量削減の要求が高まってきており、消費電力量削減手段として、冷却によって生じる廃熱を利用して商品が保管された貯蔵庫を加温するものが提案されている（例えば、特許文献１参照）。
【０００３】
以下、図面を参照しながら従来の自動販売機を説明する。
【０００４】
図５は従来の自動販売機の冷媒回路図、図６は従来の自動販売機のホット／コールド切換室内の模式図、図７は従来の自動販売機の圧縮機と加温ヒータの動作を示す図、図８は従来の自動販売機における圧縮機と開閉弁の動作を示す図である。
【０００５】
図５において、１と２はホット／コールド切換室、３はコールド専用室、４はホット／コールド切換室１内に設置された蒸発器、５はホット／コールド切換室２内に設置された蒸発器、６はコールド専用室内に設置された蒸発器、７は自動販売機下部の機械室（図示せず）に設置された室外凝縮器、８は圧縮機である。また、９、１０、１１、はそれぞれ通過する冷媒の圧力を低下するとともに閉塞機能を有した膨張弁である。また、２０はホット／コールド切換室１内に設置された凝縮器であり、２１と２２は圧縮機８の吐出冷媒の流路を切り換える開閉弁、２３と２４は凝縮器２０と室外凝縮器７とを接続する配管内に設置された開閉弁と通過する冷媒の圧力を低下する抵抗器、２５は凝縮器２０の出口に設けられ圧縮機８の吸入側と連通する開閉弁、２６はホット／コールド切換室２に設置された電熱線からなる加温ヒータである。
【０００６】
また、図６において、２７はホット／コールド切換室１に設置され、室内空気を循環して凝縮器２０、蒸発器４と熱交換させる室内ファンである。
【０００７】
以上のように構成された従来の自動販売機について、以下その動作を説明する。
【０００８】
ホット／コールド切換室１とホット／コールド切換室２を冷却する場合、開閉弁２１を開、開閉弁２２と開閉弁２３を閉とし、開閉弁２５を開として凝縮器２０を圧縮機８の吸入側配管へ接続して、圧縮機８を駆動する。圧縮機８から吐出された冷媒は、室外凝縮器７で凝縮された後、それぞれ膨張弁９、膨張弁１０、膨張弁１１で減圧されて、蒸発器４、蒸発器５、蒸発器６へ供給される。そして、蒸発器４、蒸発器５、蒸発器６で蒸発した冷媒が圧縮機８へ還流する。
【０００９】
このとき、ホット／コールド切換室１、ホット／コールド切換室２、コールド専用室３の内所定の温度に達した貯蔵室は、当該する膨張弁９、膨張弁１０、膨張弁１１を閉塞して冷媒の供給を停止する。さらに、すべての貯蔵室が所定の温度に達すると圧縮機８の運転を停止する。
【００１０】
次に、ホット／コールド切換室１を加温し、ホット／コールド切換室２を冷却する場合、開閉弁２１を閉、開閉弁２２と開閉弁２３を開とし、開閉弁２５を閉じて圧縮機８を駆動する。圧縮機８から吐出された冷媒は、凝縮器２０で凝縮した後、それぞれ膨張弁１０、膨張弁１１で減圧されて、蒸発器５、蒸発器６へ供給される。そして、蒸発器５、蒸発器６で蒸発した冷媒が圧縮機８へ還流する。また、ホット／コールド切換室２、コールド専用室３の内所定の温度に達した貯蔵室は、当該する膨張弁１０、膨張弁１１を閉塞して冷媒の供給を停止する。さらに、すべての貯蔵室が所定の温度に達すると圧縮機８の運転を停止する。
【００１１】
次に、ホット／コールド切換室１とホット／コールド切換室２を加温する場合、開閉弁２１を閉、開閉弁２２と開閉弁２３を開とし、開閉弁２５を閉じて圧縮機８を駆動する。圧縮機８から吐出された冷媒は、凝縮器２０で凝縮した後、膨張弁１１で減圧されて、蒸発器６へ供給される。そして、蒸発器６で蒸発した冷媒が圧縮機８へ還流する。ここで、コールド専用室３が所定の温度に達すると圧縮機８の運転を停止する。また、ホット／コールド切換室２は加温ヒータ２６によって温度調整される。このとき、図７に示したように圧縮機８と加温ヒータ２６はそれぞれ独立に動作する。
【００１２】
以上のように、凝縮器２０を使用してホット／コールド切換室１を加温する場合、他の貯蔵室を冷却する際に生じる廃熱を利用するので、加温ヒータを必要とせず効率の高い運転が実現できる。
【００１３】
なお、図５および図６で示した従来例では蒸発器４とは独立してホット／コールド切換室１内に凝縮器２０を設置したので、それぞれ冷却と加温に適した熱交換器構成とすることができるが、冷媒流路を切り換えて蒸発器４を凝縮器２０として使用してもよい。
【特許文献１】特開平５−１１８６９８号公報
【発明の開示】
【発明が解決しようとする課題】
【００１４】
しかしながら、上記従来の構成では、貯蔵室全体に対してホット／コールド切換室の容積が小さい場合、当該ホット／コールド切換室１室を加温しながら他のホット／コールド切換室を冷却する際に、当該ホット／コールド切換室に設置された能力の小さい蒸発器で加温に必要な熱交換量を確保するため、蒸発温度を著しく低下させる必要が生じる。この結果、圧縮比の上昇に伴い吐出ガス温度の異常な上昇が生じて、圧縮機の耐久性が低下する。そこで、加温能力を確保しながら、圧縮機を安定して動作させる機構および制御方法が望まれている。
【００１５】
本発明は、従来の課題を解決するもので、ホット／コールド切換室を加温する際に蒸発温度の低下を抑制して、圧縮機の耐久性低下を防止する自動販売機を提供することを目的とする。
【課題を解決するための手段】
【００１６】
上記従来の課題を解決するために、本発明の自動販売機は、少なくとも１室を蒸発器および凝縮器が設置されたホット／コールド切換室とし、前記ホット／コールド切換室以外の複数の貯蔵室の内の少なくとも１室を第２の蒸発器が設置されたコールド専用室とし、圧縮機と室外凝縮器とを前記貯蔵室の外に設置した自動販売機において、前記ホット／コールド切換室に加温ヒータを前記凝縮器、前記蒸発器よりも前記ホット／コールド切換室の循環空気の下流側に設置し、前記凝縮器を前記蒸発器よりも前記ホット／コールド切換室の循環空気の上流側に配置し、前記ホット／コールド切換室を冷却する場合には、前記圧縮機から吐出された冷媒を前記室外凝縮器で凝縮させた後、前記蒸発器と前記第２の蒸発器に供給し、前記蒸発器と前記第２の蒸発器で蒸発した冷媒が前記圧縮機へ還流するとともに、前記ホット／コールド切換室を加温する場合には、前記圧縮機から吐出された冷媒を前記凝縮器で一部を凝縮させた後に減圧してから更に前記室外凝縮器で凝縮させて、前記第２の蒸発器に冷媒を供給し、前記第２の蒸発器で蒸発した冷媒が前記圧縮機へ還流するもので、前記ホット／コールド切換室を加温する場合に前記ホット／コールド切換室以外の複数の前記貯蔵室の内の少なくとも２室以上を冷却設定として同時に冷却運転するものである。
【００１７】
これによって、ホット／コールド切換室を加温する際に加温能力を確保しながら、蒸発温度の低下を抑制して圧縮機の耐久性低下を防止するものである。
【発明の効果】
【００１８】
本発明の自動販売機は、ホット／コールド切換室を凝縮器で加温する際に、前記ホット／コールド切換室以外の複数の前記貯蔵室の内の少なくとも２室以上を冷却設定とし、圧縮機から吐出された冷媒を前記凝縮器で一部を凝縮させた後に減圧してから更に室外凝縮器で凝縮させて、冷却設定の２室以上の貯蔵室の複数の蒸発器で蒸発させることによって、高い蒸発温度を維持しながら加温に必要な熱交換量を確保することができ、圧縮比の上昇を抑制して圧縮機の耐久性低下を防止することができるので、加温能力を確保しながら、蒸発温度の低下を抑制して圧縮機の信頼性を高めることができる。また、加温ヒータの稼働時に凝縮器が暖められて凝縮温度が異常に上昇することや、凝縮器の出口の液冷媒量が減少して蒸発温度が異常に低下することを回避できる。
【発明を実施するための最良の形態】
【００１９】
請求項１に記載の発明は、少なくとも１室を蒸発器および凝縮器が設置されたホット／コールド切換室とし、前記ホット／コールド切換室以外の複数の貯蔵室の内の少なくとも１室を第２の蒸発器が設置されたコールド専用室とし、圧縮機と室外凝縮器とを前記貯蔵室の外に設置した自動販売機において、前記ホット／コールド切換室に加温ヒータを前記凝縮器、前記蒸発器よりも前記ホット／コールド切換室の循環空気の下流側に設置し、前記凝縮器を前記蒸発器よりも前記ホット／コールド切換室の循環空気の上流側に配置し、前記ホット／コールド切換室を冷却する場合には、前記圧縮機から吐出された冷媒を前記室外凝縮器で凝縮させた後、前記蒸発器と前記第２の蒸発器に供給し、前記蒸発器と前記第２の蒸発器で蒸発した冷媒が前記圧縮機へ還流するとともに、前記ホット／コールド切
換室を加温する場合には、前記圧縮機から吐出された冷媒を前記凝縮器で一部を凝縮させた後に減圧してから更に前記室外凝縮器で凝縮させて、前記第２の蒸発器に冷媒を供給し、前記第２の蒸発器で蒸発した冷媒が前記圧縮機へ還流するもので、前記ホット／コールド切換室を加温する場合に前記ホット／コールド切換室以外の複数の前記貯蔵室の内の少なくとも２室以上を冷却設定として同時に冷却運転するものであり、高い蒸発温度を維持しながら加温に必要な熱交換量を確保することができ、圧縮比の上昇を抑制して圧縮機の耐久性低下を防止することができるので、加温能力を確保しながら、蒸発温度の低下を抑制して圧縮機の信頼性を高めることができる。また、加温ヒータの稼働時に凝縮器が暖められて凝縮温度が異常に上昇することや、凝縮器の出口の液冷媒量が減少して蒸発温度が異常に低下することを回避できる。
【００２０】
請求項２に記載の発明は、請求項１に記載の発明において、ホット／コールド切換室を加温する場合に冷却設定として同時に冷却運転する前記ホット／コールド切換室以外の複数の貯蔵室の蒸発器を直列に接続するものであり、高い蒸発温度を維持しながら加温に必要な熱交換量を確保することができ、圧縮比の上昇を抑制して圧縮機の耐久性低下を防止することができるとともに、直列に接続した蒸発器の負荷の割合が変化して特定の蒸発器が能力不足となっても自動的に他の蒸発器が補うことで常に安定した加温能力が得られる。
【００２１】
請求項３に記載の発明は、請求項２に記載の発明において、加温設定となるホット／コールド切換室に近い貯蔵室に設置した蒸発器が上流となるように複数の蒸発器を直列接続したものであり、外気温度の変化に係わらず常に加温設定にあるホット／コールド切換室からの伝熱による負荷が発生する貯蔵室を優先して冷却することで、効率よく廃熱を回収することができ、常に安定した加温能力が得られる。
【００２２】
請求項４に記載の発明は、請求項３に記載の発明において、加温設定となるホット／コールド切換室に近い貯蔵室から優先して冷却するものであり、下流側にある蒸発器を設置した貯蔵室が過冷になることがない。
【００２３】
請求項５に記載の発明は、請求項１から４のいずれか一項に記載の発明において、ホット／コールド切換室を加温する場合に、圧縮機の停止中、凝縮器前後の配管を閉塞して、前記凝縮器内の高温高圧冷媒を保持することにより、前記凝縮器から高温冷媒が流出することによる加温負荷の増大と蒸発器へと高温冷媒が流入することによる冷却負荷の増大を防止することができる。
【００２４】
以下、本発明の実施の形態について、図面を参照しながら説明するが、従来例と同一構成については同一符号を付して、その詳細な説明は省略する。なお、この実施の形態によってこの発明が限定されるものではない。
【００２５】
（実施の形態１）
図１は、本発明の実施の形態１における自動販売機の冷媒回路図、図２は同実施の形態１の自動販売機のホット／コールド切換室内の模式図、図３は同実施の形態１の自動販売機の圧縮機と加温ヒータの動作を示す図、図４は同実施の形態１の自動販売機の圧縮機と開閉弁の動作を示す図である。
【００２６】
図１において、１と２はホット／コールド切換室、３はコールド専用室、４はホット／コールド切換室１内に設置された蒸発器、５はホット／コールド切換室２内に設置された蒸発器、６はコールド専用室内に設置された第二の蒸発器、７は自動販売機下部の機械室（図示せず）に設置された室外凝縮器、８は圧縮機である。また、９、１０、１１、はそれぞれ通過する冷媒の圧力を低下するとともに閉塞機能を有した膨張弁である。また、２０はホット／コールド切換室１内に設置された凝縮器であり、２１と２２は圧縮機８の吐出冷媒の流路を切り換える開閉弁、２３と２４は凝縮器２０と室外凝縮器７とを接続する配管内に設置された開閉弁と通過する冷媒の圧力を低下する抵抗器、２５は凝縮器２０の出口側に設けられた圧縮機８の吸入側と連通する開閉弁、２６はホット／コールド切換室２に設置された電熱線からなる加温ヒータである。
【００２７】
また、図１および図２において、２７はホット／コールド切換室１に設置され、室内空気を循環して凝縮器２０、蒸発器４と熱交換させる室内ファン、３１は蒸発器５から蒸発器６に直列接続する直列配管、３２はホット／コールド切換室１に設置された電熱線からなる加温ヒータである。ここで、図２に示したように加温ヒータ３２は凝縮器２０、蒸発器４および室内ファン２７の下流側に設置している。
【００２８】
ここで、ホット／コールド切換室１とホット／コールド切換室２はコールド専用室３よりも狭いため、蒸発器４と蒸発器５は比較的広いコールド専用室３に設置された蒸発器６の半分程度の外形寸法および内容積となる。このため、蒸発器６に比べて蒸発器４と蒸発器５の熱交換能力は半分程度となる。また、同様にホット／コールド切換室１が狭いため、室外凝縮器７に比べて凝縮器２０は外形寸法および内容積が１／４程度と小さく、熱交換能力も１／４程度と小さくなる。
【００２９】
以上のように構成された実施の形態１における自動販売機について、以下その動作を説明する。
【００３０】
ホット／コールド切換室１とホット／コールド切換室２を冷却する場合、開閉弁２１とを開、開閉弁２２と開閉弁２３を閉とし、開閉弁２５を開として凝縮器２０を圧縮機８の吸入側配管へ接続して、圧縮機８を駆動する。圧縮機８から吐出された冷媒は、室外凝縮器７で凝縮された後、それぞれ膨張弁９、膨張弁１０、膨張弁１１で減圧されて、蒸発器４、蒸発器５、蒸発器６へ供給される。ここで、蒸発器５に供給された冷媒は直列配管３１を経て蒸発器６に供給される。そして、蒸発器４、蒸発器５、蒸発器６で蒸発した冷媒が圧縮機８へ還流する。
【００３１】
このとき、膨張弁１０と膨張弁１１は常に一方を閉塞する。そして、コールド専用室３よりもホット／コールド切換室２を優先して冷却するように、膨張弁１１よりも膨張弁１０を優先して開放する。このように制御すれば、膨張弁１０を開けて蒸発器５に冷媒を流しながら蒸発器６に余剰な液冷媒を供給して、ホット／コールド切換室２と同時にコールド専用室３を冷却した後に、膨張弁１１を開けて蒸発器６に冷媒を流してコールド専用室３を冷却することを繰り返す。この結果、熱交換能力の小さい蒸発器５を単独で使用する場合に比べて、蒸発器５と蒸発器６を直列で使用する場合、高い蒸発能力を確保することができるので、蒸発温度を高く設定して効率の良い運転ができる。
【００３２】
次に、ホット／コールド切換室１を加温し、ホット／コールド切換室２を冷却する場合、開閉弁２１を閉とし、開閉弁２２と開閉弁２３を開とし、開閉弁２５を閉じて圧縮機８を駆動する。圧縮機８から吐出された冷媒は、凝縮器２０で凝縮した後、抵抗器２４で減圧された後にさらに室外凝縮器７で凝縮し、その後、膨張弁１０で減圧されて、蒸発器５、蒸発器６へ供給される。そして、蒸発器５、蒸発器６で蒸発した冷媒が圧縮機８へ還流する。
【００３３】
このとき、ホット／コールド切換室２とコールド専用室３の冷却は、ホット／コールド切換室１とホット／コールド切換室２を冷却する場合と同様に行う。この結果、高い蒸発能力を確保することができるので、蒸発温度を高く設定して効率の良い運転ができるとともに、ホット／コールド切換室１に対する高い加温能力も確保できる。なお、加温設定であるホット／コールド切換室１に隣接し、負荷の大きいホット／コールド切換室２に設置された蒸発器５を上流側にして蒸発器６と直列接続することが望ましい。隣接するホット／コールド切換室１からの伝熱により温度上昇しやすいため、直列接続で運転する割合が増加して蒸発温度を高く設定して効率の良い運転ができる。
【００３４】
また、凝縮器２０と室外凝縮器７の間に抵抗器２４を設けて通過する冷媒を減圧することで、凝縮器２０と室外凝縮器７の凝縮温度に差をつけることができ、低外気時において室外凝縮器７の凝縮温度や凝縮圧力が下がった場合でも、凝縮器２０は高い凝縮温度を維持することができ、ホット／コールド切換室１を効率よく加温することができるので、冬場に低外気温となる地域でも効率の高い加温運転を実施できる。
【００３５】
また、外気温度が低下してホット／コールド切換室２とコールド専用室３の両方の負荷が小さくなり、ホット／コールド切換室１に対する加温能力が十分得られなくなった場合、凝縮器２０の下流側に設置した加温ヒータ３２を稼働してホット／コールド切換室１を温度調整する。このとき、加温ヒータ３２の稼動とは独立して圧縮機８を運転するが、加温ヒータ３２を凝縮器２０の下流側に設置しているので、加温ヒータ３２の稼働時に凝縮器２０が暖められて凝縮温度が異常に上昇することや、凝縮器２０の出口の液冷媒量が減少して蒸発温度が異常に低下することを回避できる。
【００３６】
また、図４に示すように圧縮機の停止中に開閉弁２２、開閉弁２３を閉塞し、圧縮機を起動する前に開閉弁２２、開閉弁２３を開放することで、圧縮機停止中に、特に凝縮温度の高い凝縮器２０内の高温冷媒を保持することができ、蒸発器へと高温冷媒が流入することによる冷却負荷の増大と、高温冷媒が流出することによる加温負荷の増大を防止することができる。
【００３７】
次に、ホット／コールド切換室１とホット／コールド切換室２を加温する場合、開閉弁２１を閉、開閉弁２２と膨張弁２３を開とし、開閉弁２５を閉じて圧縮機８を駆動する。圧縮機８から吐出された冷媒は、凝縮器２０で凝縮した後、抵抗器２４で減圧されて室外凝縮器７で再度凝縮された後に、膨張弁１１で減圧されて蒸発器６へ供給される。そして、蒸発器６で蒸発した冷媒が圧縮機８へ還流する。
【００３８】
このとき、外気温度が低下してコールド専用室３の負荷が小さくなり、ホット／コールド切換室１に対する加温能力が十分得られなくなった場合、凝縮器２０の下流側に設置した加温ヒータ３２を稼働してホット／コールド切換室１を温度調整する。このとき、加温ヒータ３２の稼動とは独立して圧縮機８を運転するが、加温ヒータ３２を凝縮器２０の下流側に設置しているので、加温ヒータ３２の稼働時に凝縮器２０が暖められて凝縮温度が異常に上昇することや、凝縮器２０の出口の液冷媒量が減少して蒸発温度が異常に低下することを回避できる。
【００３９】
また、ホット／コールド切換室２は加温ヒータ２６によって温度調整される。このとき、加温ヒータ２６と加温ヒータ３２及び圧縮機８を同時に駆動すると、電源容量を越えた電流が流れてブレークダウンする可能性があるため、図３に示したように所定時間で区切った区間毎に、加温ヒータ２６と加温ヒータ３２及び圧縮機８の内一つを休止する。図３において、区間Ａでは圧縮機８を休止し、区間Ｂでは加温ヒータ３２を休止し、区間Ｃでは加温ヒータ２６を休止する。
【００４０】
なお、図１および図２では蒸発器４とは独立してホット／コールド切換室１内に凝縮器２０を設置したので、それぞれ冷却と加温に適した熱交換器構成とすることができるが、冷媒流路を切り換えて蒸発器４を凝縮器２０として使用してもよい。
【００４１】
以上のように、本発明の自動販売機においては、ホット／コールド切換室を加温する際に複数の貯蔵室を同時に冷却することによって、加温能力を確保しながら、蒸発温度の低下を抑制して圧縮機の耐久性低下を防止することができる。
【産業上の利用可能性】
【００４２】
以上のように、本発明にかかる自動販売機は、ホット／コールド切換室を加温する際に複数の貯蔵室を同時に冷却することで、加温能力を確保しながら蒸発温度の低下を抑制して圧縮機の耐久性低下を防止する事が出来るので、ホット飲料とコールド飲料を切り換えて保存するショーケースなどで冷却と同時に加温運転するシステムにも適用できる。
【図面の簡単な説明】
【００４３】
【図１】本発明の実施の形態１における自動販売機の冷媒回路図
【図２】本発明の実施の形態１における自動販売機のホット／コールド切換室内の模式図
【図３】本発明の実施の形態１における自動販売機の圧縮機と加温ヒータの動作を示す図
【図４】本発明の実施の形態１における圧縮機と開閉弁の動作を示す図
【図５】従来の自動販売機の冷媒回路図
【図６】従来の自動販売機のホット／コールド切換室内の模式図
【図７】従来の自動販売機の圧縮機と加温ヒータの動作を示す図
【図８】従来の自動販売機における圧縮機と開閉弁の動作を示す図
【符号の説明】
【００４４】
１，２  ホット／コールド切換室
３    コールド専用室
４，５  蒸発器
６    第二の蒸発器
７    室外凝縮器
８    圧縮機
２０  凝縮器
３１  直列配管
【図１】
0005239464.tif 000002
【図２】
0005239464.tif 000003
【図３】
0005239464.tif 000004
【図４】
0005239464.tif 000005
【図５】
0005239464.tif 000006
【図６】
0005239464.tif 000007
【図７】
0005239464.tif 000008
【図８】
0005239464.tif 000009